(57)【特許請求の範囲】
【請求項１】
透明フィルムをプラズマディスプレイパネルの表示面側に貼付するプラズマディスプレイ装置において、
前記透明フィルムは、少なくともプラズマディスプレイパネル側から、透明導電フィルム、光学特性調整フィルムの順となるように透明導電フィルムと前記透明導電フィルムよりも面積の小さい光学特性調整フィルムとを貼り合わせた構成であり、
前記光学特性調整フィルムの貼付されていない前記透明導電フィルムの露呈された部分をバスバー領域として装置筐体に電気的に接するように構成することを特徴とするプラズマディスプレイ装置。
【請求項２】
前記バスバー領域はプラズマディスプレイパネルの発光部分よりも外側で且つプラズマディスプレイパネルの縁よりも内側に形成されていることを特徴とする、請求項１に記載のプラズマディスプレイ装置。
【発明の詳細な説明】
【０００１】
【産業上の利用分野】
この発明は、プラズマディスプレイパネル（ＰＤＰ）を用いたプラズマディスプレイ装置に関する。
【０００２】
【従来の技術】
プラズマディスプレイパネル（ＰＤＰ）は、例えば、多数の線状電極が所定間隔で配置された裏面側ガラス基板と表面側ガラス基板とを、前記電極が互いに直交するようにして貼り合わせ、両基板間にガスを充填した構造を有する。裏面側と表面側の各電極が直交する各箇所において放電セルが構成されることになり、この放電セル内において放電により生じた紫外線が裏面側或いは表面側のガラス基板に設けた蛍光体に当たると、この蛍光体から可視光が出射される。
【０００３】
図７は、プラズマディスプレイ装置の内部構造例を示した断面図である。支持基板５１の一方の面にはＰＤＰ５２が取り付けられ、他方の面には電源回路５３及び各種回路が搭載された回路搭載基板５４が取り付けられている。支持基板５１は裏面パネル５５に固定され、この裏面パネル５５が筐体５６に取り付けられている。
【０００４】
ＰＤＰ５２の光出射側には空冷用の空間をおいて前面フィルターガラス板５７が配置される。前記空冷用の空間を通る空気は、ＰＤＰ５２から放出される熱を奪い、筐体５６の上端部に設けられたファン６０によって機外へと排出されることになる。前面フィルターガラス板５７は、コントラストや色温度の調整を行うことに加え、その裏面側に有する透明導電膜（ＩＴＯ等）５７ａによって前記ＰＤＰ５２から放出される電磁波放射ノイズを低減する。前面フィルターガラス板５７はその四辺を金属製の支持部材５８によって筐体５６に固定されている。前面フィルターガラス板５７は重く、しかも透明導電膜５７ａと金属製の支持部材５８との接触電気抵抗を小さくすべくその圧接度を高めるために、多数のねじが必要とされる。
【０００５】
また、ＰＤＰ５２における線状電極は、極めて細く形成されており、断線を皆無にすることは困難である。そこで、線状電極に断線が生じた場合には、図８に示すように、リペア処理を施すようにしている。図８の例では、列電極となる線状電極の一つに断線が生じている。線状電極の一端側は図示しない駆動回路に接続されており、この駆動回路に接続されている側の部分にリペア線６１の一端を半田等によって接続する。そして、リペア線６１をリペア領域（ＰＤＰ非発光部分のガラス面上）において這わし、リペア線６１の他端を線状電極の他端側（駆動回路に接続されていない側の部分）に接続する。これにより、線状電極の他端側にも前記リペア線６１を介して駆動回路から電圧が印加されることになり、発光不能状態から回復させることができる。
【０００６】
【発明が解決しようとする課題】
プラズマディスプレイ装置は、壁掛けテレビとしての利用に有利と考えられており、軽量化や薄型化を図ることが重要課題となるが、上述したプラズマディスプレイ装置では、空冷用の空間を設けているために薄型化の点で十分ではなく、しかも、重い前面フィルターガラス板５７を備えるため、軽量化の点でも十分ではないと考えられる。更に、この重い前面フィルターガラス板５７を筐体に固定するためには多数のねじが必要とされ、製造工程におけるねじ留め作業数が多くなってしまうという欠点がある。
【０００７】
この発明は、上記の事情に鑑み、軽量で薄型のプラズマディスプレイ装置を提供することを第１の目的とする。そして、当該軽量・薄型の構造においてリペアが容易に行える構造を提供することを第２の目的とする。また、当該軽量・薄型の構造において電磁波放射ノイズを低減するための電気的接続が容易に行える構造を提供することを第３の目的とする。
【０００８】
【課題を解決するための手段】
この発明のプラズマディスプレイ装置は、透明フィルムをプラズマディスプレイパネルの表示面側に貼付するプラズマディスプレイ装置において、前記透明フィルムは、少なくともプラズマディスプレイパネル側から、透明導電フィルム、光学特性調整フィルムの順となるように透明導電フィルムと前記透明導電フィルムよりも面積の小さい光学特性調整フィルムとを貼り合わせた構成とし、前記光学特性調整フィルムの貼付されていない前記透明導電フィルムの露呈された部分をバスバー領域として装置筐体に電気的に接するように構成することを特徴とする。
【０００９】
上記の構成であれば、フィルム状前面フィルターを用いる軽量・薄型の構造において、電磁波放射ノイズを低減するための装置筐体への電気的接続が容易に行えることになる。
【００１０】
また、前記バスバー領域はプラズマディスプレイパネルの発光部分よりも外側で且つプラズマディスプレイパネルの縁よりも内側に形成されているのがよい。
【００１１】
上記の構成であれば、光学特性調整フィルムによって発光部分の全面を覆うようにした上、バスバー領域はプラズマディスプレイパネルの縁よりも内側にあるので、該フィルム状前面フィルターが貼付されたプラズマディスプレイパネルを装置筐体に押しつけるようにして装着することで、前記バスバー領域は装置筐体に圧接することになるから、バスバー領域を装置筐体に圧接するための圧接具を不要にし得る。
【００１３】
【発明の実施の形態】
（実施形態１）
以下、この発明の第１の実施形態を図１乃至図４に基づいて説明する。図１はプラズマディスプレイ装置の斜視図（筐体内を透視的に示している）であり、図２はプラズマディスプレイ装置の断面図であり、図３はプラズマディスプレイパネルの発光／非発光領域とフィルム状前面フィルターのバスバー領域との関係を示した説明図であり、図４はフィルム状前面フィルターの詳細を示した断面図である。
【００１４】
図１及び図２に示すように、長方体形状の筐体６内にプラズマディスプレイパネル（以下、ＰＤＰと略記する）２が収容されている。このＰＤＰ２の前面には、フィルム状前面フィルター７が接着されている。ＰＤＰ２はその裏面側に配置された支持基板１の一方の面側に固定されている。支持基板１の他方の面側には電源回路３及び各種回路が搭載された回路搭載基板４が取り付けられている。支持基板１は裏面パネル５に固定されており、この裏面パネル５が筐体６に取り付けられる。筐体６内の上部にはファン９が取り付けられている。筐体６の前面枠６ｂには、ＰＤＰ２の発光部分に対応した開口６ａが形成されている。
【００１５】
ＰＤＰ２は、その詳細は図示しないが、例えば、多数の線状電極が所定間隔で配置された裏面側ガラス基板と表面側ガラス基板とを、前記電極が互いに直交するようにして貼り合わせ、両基板間にＮｅ（ネオン）とＸｅ（キセノン）とからなる混合ガス等を充填した構造を有する。裏面側と表面側の各電極が直交する各箇所において放電セルが構成されることになり、この放電セル内において放電により生じた紫外線が裏面側或いは表面側のガラス基板に設けた蛍光体に当たると、この蛍光体から可視光が出射される。フルカラーのプラズマディスプレイ装置とする場合には、前記蛍光体としてＲ（赤），Ｇ（緑），Ｂ（青）の光を発するものを一組としてこれを多数配置することになる。ＰＤＰ２の外周部では線状電極は交差しておらず、当該外周部は非発光領域２ａを成す。
【００１６】
フィルム状前面フィルター７は、図３にも示しているように、ＰＤＰ２よりも幾分大きな長方形状を有している。フィルム状前面フィルター７の外周部はバスバー領域７ａを成している。このバスバー領域７ａは、ＰＤＰ２の外周よりも外側に位置し、筐体６における前面枠６ｂの裏面に設けた導体部（図示せず）に電気的に接する。ＰＤＰ２から放射される電磁波は、フィルム状前面フィルター７において電流に変換され、この電流が前記バスバー領域７ａを介して筐体６の導体部に流れることで、電磁波放射ノイズが低減されることになる。
【００１７】
また、フィルム状前面フィルター７は、図４に示すように、透明導電フィルム７１の前面に接着層７２を介して光学特性調整フィルムとしての反射防止フィルム（ＡＲフィルム）７３を貼付した構造を有する。反射防止フィルム７３及び接着層７２は、透明導電フィルム７１の外周縁部には存在しておらず、透明導電フィルム７１の外周縁部は導電フィルム露呈部となって前述したバスバー領域７ａを成す。透明導電フィルム７１は、例えばＰＥＴ（ポリエチレンテレフタレート）から成る基体シートにＩＴＯ（インジウムとスズの合金酸化膜）を成膜したものである。また、接着層７２としては、例えばアクリル系接着材を用いる。そして、かかるフィルム状前面フィルター７は、前記透明導電フィルム７１の裏面側に塗布された接着層１０によってＰＤＰ２の前面に貼付されている。接着層１０は、ＰＤＰ２における前述の非発光領域２ａ上には存在していない。従って、非発光領域２ａ上においては、フィルム状前面フィルター７を剥離することができる。この剥離可能領域をリペア領域とする。
【００１８】
以上説明したように、ＰＤＰ２の前面にフィルム状前面フィルター７を直接的に貼り付けているため、ＰＤＰ２とフィルム状前面フィルター７との間には空冷用の空間は存在せず、プラズマディスプレイ装置を薄型にできる。ＰＤＰ２が発する熱は、前記冷却用の空間が無いため、フィルム状前面フィルター７を伝って外へと放出されることになる。また、重い前面フィルターガラス板ではなく、フィルム状前面フィルター７を備えるので軽量化が図れるとともに、重い前面フィルターガラス板を筐体に固定する場合のように多数ねじを必要とすることもなくなる。また、前記透明導電フィルム７１の裏面とＰＤＰ２の縁部の非発光領域２ａとの間には前記接着層１０を介在させておらず、剥離可能である。これにより、ＰＤＰ２に直接的にフィルム状前面フィルター７を貼り付けつつ、ＰＤＰ２の非発光部分２ａの面上においては当該フィルム状前面フィルター７を剥離可能とし、この剥離可能領域をリペア領域としてリペア線（図示せず）を配置することが可能になる。
【００１９】
フィルム状前面フィルター７の外周部に形成したバスバー領域７ａが筐体６における前面枠６ｂの裏面の導体部（図示せず）に電気的に接する。これにより、フィルム状前面フィルター７を用いた軽量・薄型の構造において電磁波放射ノイズを低減するための筐体６への電気的接続が行えることになる。
【００２０】
（実施形態２）
以下、この発明の第２の実施形態を図５及び図６に基づいて説明する。図５はプラズマディスプレイ装置の断面図であり、図６はフィルム状前面フィルターの詳細を示した断面図である。
【００２１】
図５及び図６に示すように、フィルム状前面フィルター８は、ＰＤＰ２と同等の大きさの長方形状を有している。フィルム状前面フィルター８は、透明導電フィルム８１の前面に接着層８２を介して反射防止フィルム（ＡＲフィルム）８３を貼付した構造を有する。反射防止フィルム８３及び接着層８２は、透明導電フィルム８１の外周縁部には存在しておらず、透明導電フィルム８１の外周縁部は導電フィルム露呈部となってバスバー領域８ａを成す。このバスバー領域８ａはＰＤＰ２の発光部分よりも外側で且つＰＤＰ２の外縁よりも内側に形成されている。そして、かかるフィルム状前面フィルター８は、前記透明導電フィルム８１の裏面側に塗布された接着層１０によってＰＤＰ２の前面に貼付されている。接着層１０は、ＰＤＰ２における非発光領域２ａ上には塗布されていない。従って、非発光領域２ａ上においては、フィルム状前面フィルター８を剥離することができる。この剥離可能領域をリペア領域としている。また、筐体６における前面枠６ｂの裏面には、前記バスバー領域８ａに対応して導体部である銅箔１２が設けられている。
【００２２】
この実施形態のプラズマディスプレイ装置であれば、実施形態１と同様、薄型且つ軽量を実現できるとともに、この薄型・軽量の構造においてリペア処理を容易に行うことが可能になる。そして、この実施形態では、前記フィルム状前面フィルター８はＰＤＰ２と同等の大きさに形成されており、前記バスバー領域８ａはＰＤＰ２の発光部分よりも外側で且つＰＤＰ２の縁よりも内側（ＰＤＰ非発光部分）に形成されているので、フィルム状前面フィルター８が貼付されたＰＤＰ２を筐体６における前面枠６ｂの裏面に押しつけるようにして装着することで、前記バスバー領域８ａは筐体６における前面枠６ｂの裏面に圧接することになるから、バスバー領域８ａを筐体６に圧接するための圧接具を不要にし得る。従って、かかる軽量・薄型の構造において電磁波放射ノイズを低減するための筐体６への電気的接続が一層容易に行えることになる。
【００２３】
【発明の効果】
以上説明したように、この発明のプラズマディスプレイ装置であれば、プラズマディスプレイパネルの前面側にフィルム状前面フィルターを直接的に貼り付ける構造であるから、軽量で薄型のプラズマディスプレイ装置を実現できる。そして、フィルム状前面フィルターの縁部についてはプラズマディスプレイパネルに対して剥離可能としたので、当該軽量・薄型の構造においてリペア処理が容易に行える。また、フィルム状前面フィルターの縁部にバスバー領域を形成したので、当該軽量・薄型の構造において電磁波放射ノイズを低減するための筐体への電気的接続が容易に行える。更に、バスバー領域をプラズマディスプレイパネルの発光部分よりも外側で且つプラズマディスプレイパネルの縁よりも内側に形成する構成であれば、筐体への電気的接続が一層容易になる。
【図面の簡単な説明】
【図１】この発明の第１の実施形態のプラズマディスプレイ装置の斜視図（筐体内を透視的に示している）である。
【図２】図１のプラズマディスプレイ装置の断面図である。
【図３】図１のプラズマディスプレイパネルの発光／非発光領域及びフィルム状前面フィルターのバスバー領域の関係を示した説明図である。
【図４】図１のフィルム状前面フィルターの詳細を示した断面図である。
【図５】この発明の第２の実施形態のプラズマディスプレイ装置の断面図である。
【図６】図５のフィルム状前面フィルターの詳細を示した断面図である。
【図７】従来のプラズマディスプレイ装置の断面図である。
【図８】リペア処理の概要を示した説明図である。
【符号の説明】
２    プラズマディスプレイパネル（ＰＤＰ）
２ａ  非発光領域
６    筐体
７    フィルム状前面フィルター
７ａ  バスバー領域
７１  透明導電フィルム
７２  接着層（第１接着層）
７３  反射防止フィルム
８    フィルム状前面フィルター
８ａ  バスバー領域
８１  透明導電フィルム
８２  接着層（第１接着層）
８３  反射防止フィルム
１０  接着層（第２接着層）
【図１】
0003557154.tif 000002
【図２】
0003557154.tif 000003
【図３】
0003557154.tif 000004
【図４】
0003557154.tif 000005
【図５】
0003557154.tif 000006
【図６】
0003557154.tif 000007
【図７】
0003557154.tif 000008
【図８】
0003557154.tif 000009